(57)【要約】      （修正有）【課題】遠心ファンの下方から上方へ向かう空気が、遠心ファンの吹き出し空気から受ける影響を小さくして、吹出口の風量低下を防ぐ。【解決手段】空気を室内から吸い込む吸込口４を正面下側に設け、冷却または加熱した空気を室内に吹き出す吹出口７を正面上側に設けた略直方体状の筐体１００と、該筐体１００の内部に設けられ、回転軸方向から吸い込んだ風を全周方向に吹き出す遠心ファン１ａと、前記遠心ファン１ａの背面側に設けられ、該遠心ファン１ａを駆動するモータ１ｂと、前記筐体１００の背面板の間に設けられ、上下に貫通する風路を形成する仕切板８ａと、前記遠心ファン１ａと前記吹出口７の間に設けられ、前記遠心ファン１ａが吹き出した風を冷却または加熱する熱交換器２と、を具備し、前記仕切り板８ａにより形成される風路は、前記遠心ファン１ａから下方に向かった風が前記吹出口７に向かうときに通過する風路である空気調和機の室内機。【選択図】図１
2018071933.tif 000002
【特許請求の範囲】
【請求項１】
空気を室内から吸い込む吸込口を正面下側に設け、冷却または加熱した空気を室内に吹き出す吹出口を正面上側に設けた略直方体状の筐体と、
該筐体の内部に設けられ、回転軸方向から吸い込んだ空気を全周方向に吹き出す遠心ファンと、
前記遠心ファンの背面側に設けられ、該遠心ファンを駆動するモータと、
前記遠心ファンと前記筐体の背面板の間に設けられ、上下に貫通する風路を形成する仕切板と、
前記遠心ファンと前記吹出口の間に設けられ、前記遠心ファンが吹き出した空気を冷却または加熱する熱交換器と、
を具備し、
前記仕切り板により形成される風路は、前記遠心ファンから下方に向かった空気が前記吹出口に向かうときに通過する風路であることを特徴とする空気調和機の室内機。
【請求項２】
請求項１に記載の空気調和機の室内機において、
前記仕切板は、前記筐体の側面板に固定される固定部を有することを特徴とする空気調和機の室内機。
【請求項３】
請求項２に記載の空気調和機の室内機において、
前記仕切板の上下方向の寸法は、前記遠心ファンの直径以上であり、
前記仕切板の左右方向の寸法は、前記筐体の幅と略等しいことを特徴とする空気調和機の室内機。
【請求項４】
請求項２に記載の空気調和機の室内機において、
前記仕切板の上下方向の寸法は、前記遠心ファンの半径と略等しく、
前記仕切板の左右方向の寸法は、前記筐体の幅と略等しいことを特徴とする空気調和機の室内機。
【請求項５】
請求項１に記載の空気調和機の室内機において、
前記仕切板は、前記筐体の背面板に固定される固定部を有することを特徴とする空気調和機の室内機。
【請求項６】
請求項５に記載の空気調和機の室内機において、
前記仕切板の左右方向の寸法は、前記筐体の幅より狭いことを特徴とする空気調和機の室内機。
【請求項７】
請求項６に記載の空気調和機の室内機において、
前記仕切板は、側方が開放した風路を形成することを特徴とする空気調和機の室内機。
【請求項８】
請求項２または請求項５に記載の空気調和機の室内機において、
前記固定部は下方から上方へ向かう気流に沿った、上下に延伸した形状であることを特徴とする空気調和機の室内機。
【請求項９】
請求項１から８の何れか一項に記載の空気調和機の室内機において、
前記モータは、前記仕切板に固定され、前記風路には配置されないことを特徴とする空気調和機の室内機。
【請求項１０】
請求項１から９の何れか一項に記載の空気調和機の室内機において、
前記遠心ファンから下方に吹き出した空気を、前記風路に導くためのガイド部材を有することを特徴とする空気調和機の室内機。
【請求項１１】
請求項１から１０の何れか一項に記載の空気調和機の室内機において、
前記遠心ファンと前記筐体の側面板の距離は、
前記遠心ファンの回転方向が下向きとなる側で狭く、
前記遠心ファンの回転方向が上向きとなる側で広くなるように、
前記遠心ファンの回転中心を前記筐体の中心線から偏心させたことを特徴とする空気調和機の室内機。
【発明の詳細な説明】
【技術分野】
【０００１】
本発明は、室内から機内に空気を吸い込み、機内の遠心ファンの下流に設けた熱交換器で空気を冷却または加熱した後、熱交換器の下流側に設けた吹出口から室内へ空気を吹き出す空気調和機の室内機に関するものである。
【背景技術】
【０００２】
空気調和機は、冷媒が封入された冷媒循環流路に、冷媒を圧縮する圧縮機と、冷媒と室内の空気を熱交換させる室内熱交換器と、冷媒を減圧する膨張弁と、冷媒と外気を熱交換させる室外熱交換器を順次配設した冷凍サイクルを備えている。
【０００３】
このうち室内熱交換器は、室内熱交換器に室内の空気を送るファンと共に室内機の筐体内に格納されている。このような室内機には様々な形態のものがあり、その１つに、床置き型と呼ばれる室内機がある（例えば、特許文献１）。図１２を用いて、特許文献１の図３等で開示される、床置き型と呼ばれる従来の空気調和機の室内機を説明する。
【０００４】
図１２は、遠心ファン１ａを搭載した従来の空気調和機の室内機の側面断面図である。ここに示すように、従来の室内機は、筐体１００内に遠心ファン１ａを配置し、遠心ファン１ａを回転させるためのモータ１ｂを筐体の背面板１００ｂに固定する。なお、遠心ファン１ａの周囲にはシロッコファンを用いるときのように空気の吹出し方向を制限するスクロールケーシングは配置しないため、遠心ファン１ａからは全周方向に風が吹き出される。遠心ファン１ａの上方には、上部が背面板１００ｂ側に傾くように熱交換器２を設置する。熱交換器２の下部には、結露水を受ける水受け３を設ける。筐体の正面板１００ａの下方には、室内機に空気を吸い込むための吸込口４を配置し、吸込口４の下流側に、空気の埃を除去するためのフィルター５を設ける。遠心ファン１ａとフィルター５の間には、遠心ファン１ａが吸い込む空気と、遠心ファン１ａが吹き出す空気を仕切るためのベルマウス６を配置し、筐体の正面板１００ａの上方には、室内機から空気を吹き出すための吹出口７を設ける。また、図示していないが、室内機を制御するための電気制御基板を収納する電気箱が筐体内に配置されている。
【０００５】
また、遠心ファン１ａが運転したときの空気の流れを風２００ａないし風２００ｃで表し、遠心ファン１ａから吹き出す空気の流れを風２０２で示す。遠心ファン１ａが運転すると、室内の空気は、吸込口４から筐体内に流入し、フィルター５を通過したのち、遠心ファン１ａ内へ吸い込まれる。遠心ファン１ａから吹き出した空気は、筐体の上方へ向かい、熱交換器２により熱交換された後、吹出口７から筐体外へ流出する。
【先行技術文献】
【特許文献】
【０００６】
【特許文献１】特開２０１１−３３２１８号公報
【発明の概要】
【発明が解決しようとする課題】
【０００７】
従来の室内機の問題点を、図１３の正面図を用いて説明する。ここでは、問題点を分かりやすく図示するために、遠心ファン１ａ、吹出口７、筐体１００以外の部品は省略している。ここに示すように、遠心ファン１ａを矢印４００の方向に回転させると、遠心ファン１ａからは、遠心方向全周に旋回成分を持った空気が吹き出す。これらのうち、遠心ファン１ａから下方へ向かった風は、筐体の底面で向きを変えた後、遠心ファン１ａの裏側や側方を通る風２０１となって、吹出口７のある上方へ向かう。
【０００８】
しかし、上方へ向かう風２０１は、遠心ファン１ａから風が吹き出す空間を通過して吹出口７へ向かう必要があるため、遠心ファン１ａからの風の影響を受け、効率よく吹出口７へ向かうことができない。特に、図１３に示すように、筐体左側では、筐体の左下から上方へ向かう風２０１は、遠心ファン１ａから吹き出した旋回成分が下向きの風によって、その流れを大きく阻害されることになる。結果として、遠心ファンの下方に吹き出された風は効率的に筐体上部へ送られず、吹出口７から流出する総風量が低下する要因となる。
【０００９】
そこで、本発明では、以上で説明した風量低下を解消し、吹出口７から流出する風量を増大することができる空気調和機の室内機を提供することを目的とする。
【課題を解決するための手段】
【００１０】
上記の課題を解決するため、本発明の空気調和機の室内機は、空気を室内から吸い込む吸込口を正面下側に設け、冷却または加熱した空気を室内に吹き出す吹出口を正面上側に設けた略直方体状の筐体と、該筐体の内部に設けられ、回転軸方向から吸い込んだ風を全周方向に吹き出す遠心ファンと、前記遠心ファンの背面側に設けられ、該遠心ファンを駆動するモータと、前記遠心ファンと前記筐体の背面板の間に設けられ、上下に貫通する風路を形成する仕切板と、前記遠心ファンと前記吹出口の間に設けられ、前記遠心ファンが吹き出した風を冷却または加熱する熱交換器と、を具備し、前記仕切り板により形成される風路は、前記遠心ファンから下方に向かった風が前記吹出口に向かうときに通過するものとした。
【発明の効果】
【００１１】
本発明によれば、遠心ファンの下方から上方へ向かう空気の一部が、遠心ファンの吹き出し空気から受ける影響を小さくすることができ、空気調和機の室内機の吹出口から吹き出す風量を増加させることができる。
【００１２】
本発明のその他の構成、作用、効果については、以下の実施例において詳細に説明する。
【図面の簡単な説明】
【００１３】
【図１】実施例１の室内機の側面断面図である。
【図２】実施例１の室内機のファン周辺の側面図および断面図である。
【図３】実施例１の室内機の正面図である。
【図４】変形例１の室内機のファン周辺の側面断面図である。
【図５】変形例２の室内機のファン周辺の側面断面図である。
【図６】変形例３の室内機のファン周辺の側面図および断面図である。
【図７】実施例２の室内機の正面図である。
【図８】実施例２の室内機のファン周辺の側面図および断面図である。
【図９】実施例３の室内機の側面断面図である。
【図１０】実施例４の室内機のファン周辺の側面断面図である。
【図１１】実施例５の室内機の正面図である。
【図１２】従来の室内機の側面断面図である。
【図１３】従来の室内機の正面図である。
【発明を実施するための形態】
【００１４】
以下、本発明の実施例を図面を参照して説明する。
【実施例１】
【００１５】
本発明の実施例１を図１から図３を用いて説明する。
【００１６】
図１は、遠心ファン１ａを搭載し、背面板１００ｂと遠心ファン１ａの間に長方形の仕切板８ａを設けた空気調和機の室内機の側面断面図である。室内機は、略直方体状の筐体１００内に遠心ファン１ａを配置し、遠心ファン１ａを回転駆動させるためのモータ１ｂを筐体の背面板１００ｂに固定する。なお、ここで用いる遠心ファン１ａは、回転軸方向から吸い込んだ空気を全周方向に吹き出すものであるため、その周囲には空気の吹き出し方向を制限するためのスクロールケーシングは配置していない。
【００１７】
また、遠心ファン１ａと背面板１００ｂの間には、上下方向に貫通する風路を形成するための仕切板８ａを設ける。仕切板８ａは、モータを通すための穴９ａが空いている。仕切板８ａの重心は、遠心ファン１ａの中心軸上にあり、仕切板８ａの下面は、筐体１００底面と平行である。また、仕切板８ａの上下方向の寸法は、遠心ファン１ａの直径以上であり、左右方向の寸法は、筐体側面部まで延長された筐体の幅と略等しい寸法として、筐体側面部に固定される。
【００１８】
遠心ファン１ａの上方には、上部が背面板１００ｂ側に傾くように熱交換器２を設置する。なお、熱交換器２の下部には、結露水を受ける水受け３を設ける。筐体の正面板１００ａの下方には、室内機へ空気を吸い込むための吸込口４を配置し、吸込口４の下流側に、空気の埃を除去するためのフィルター５を設ける。遠心ファン１ａとフィルター５の間には、遠心ファン１ａが吸い込む空気と、遠心ファン１ａが吹き出す空気を仕切るためのベルマウス６を配置し、筐体の正面板１００ａの上方には、室内機から空気を吹き出すための吹出口７を設ける。また、図示していないが、室内機を制御するための電気制御基板を収納する電気箱が筐体に配置されている。
【００１９】
また、遠心ファン１ａが運転したときの空気の流れを風２００ａから風２００ｃで表し、遠心ファン１ａから吹き出す空気の流れを風２０２で示す。遠心ファン１ａが回転すると、室内の空気は、風２００ａに示すように吸込口４から筐体内に流入し、フィルター５を通過したのち、遠心ファン１ａ内へ吸い込まれる。遠心ファン１ａから吹き出した風２０２は、風２００ｂに示すように筐体１００の上方へ向かい、熱交換器２で熱交換された後、風２００ｃに示すように吹出口７から筐体外へ流出する。また、遠心ファン１ａの下方に吹き出された空気の一部は、仕切板８ａと背面板１００ｂの間の風路を通り上方へ向かう風２０３ａを経た後に、風２００ｂと合流する。
【００２０】
図２は、図１に示す本室内機の遠心ファン１ａ周辺を拡大した側面図と、側面図中の
Ａ−Ａ断面で切断した断面図である。図２左図（側面図）に示すように、仕切板８ａは、上部と下部の固定部１０ａが筐体の側面板１００ｃに固定される。また、図２右図（Ａ−Ａ断面図）に示すように、固定部１０ａは、遠心ファン１０ａの下方から上方へ向かう空気の流れを阻害しないように、直角に曲げられて側面板１００ｃに固定された上下方向に延伸した形状であり、これにより空気の流れの阻害を抑制しながら風路の断面積を大きくしている。
【００２１】
図３は、本室内機の正面図である。ここでは、仕切板８ａの作用を分かりやすく図示するために、遠心ファン１ａ、仕切板８ａ、吹出口７、筐体１００以外の部品は省略している。矢印４００は遠心ファン１ａの回転方向を示す。また、遠心ファン１ａの下方から、仕切板８ａの背面側の風路を通り上方へ向かう風２０３ａは、筐体左側の流れのみ示しており、点線部は、風路内を流れていることを表す。
【００２２】
図１３に示す従来の室内機では、遠心ファン１ａの下方から上方に向かおうとする空気が遠心ファン１ａの吹き出し空気に阻害されるため、遠心ファン１ａ下方の空気を効率的に筐体上部に送ることができないという問題点があった。特に、筐体左側では、遠心ファン１ａが吹き出す風の旋回成分が下向きであるため、筐体左側で遠心ファン１ａ下方から上方へ向かう風２０１を大きく阻害されていた。
【００２３】
これに対し、図３に示す本実施例では、仕切板８ａによって、仕切板８ａと背面板１００ｂの間の風路と遠心ファン１ａの吹き出し側の空間が分離される。そのため、仕切板８ａと背面板１００ｂの間の風路を通り上方へ向かう空気は、遠心ファン１ａの吹き出しの影響を受けにくくなる。したがって、本実施例では、図１３に示す従来の室内機と比べて、遠心ファン１ａの下方に吹き出された空気を、効率的に筐体上部に送ることができるため、遠心ファン１ａの回転数を上げることなく、空気調和機の室内機の吹出口７から吹き出す風量を増加させることができる。
【変形例】
【００２４】
次に、実施例１の３種の変形例を、それぞれ図４から図６に示す。
【００２５】
図４および図５は、実施例１の変形例１と変形例２である室内機の遠心ファン１ａ周辺を拡大した側面断面図である。
【００２６】
遠心ファン１ａと背面板１００ｂの間に、変形例１である図４の構成では仕切板８ｂを、変形例２である図５の構成では仕切板８ｃを、それぞれ配置する。図４および図５に示す仕切板８ｂおよび仕切板８ｃの上下方向の寸法は遠心ファン１ａの半径と略等しく、図４の構成では、仕切板８ｂの上端が遠心ファン１ａの中心高さと略等しく、図５の構成では、仕切板８ｃの下端が遠心ファン１ａの中心高さと略等しい。仕切板には、それぞれモータを通すための窪み９ｂ、９ｃがある。また、遠心ファン１ａの下方から仕切板と背面板１００ｂの間の空間を通る上向きの風を、図４の構成では風２０３ｂ、図５の構成では風２０３ｃで、それぞれ表す。
【００２７】
仕切板の効果を大きくするために、仕切板の上下方向の寸法は、遠心ファン１ａの直径以上であるほうが望ましいが、図４または図５に示すように、遠心ファン１ａの直径より小さくてもよい。ただし、仕切板の効果を出すためには、仕切板の上下方向の寸法は少なくとも遠心ファン１ａの半径以上とするとともに、その上端および下端の間に遠心ファン１ａの回転中心軸が含まれるように構成する必要がある。図４および図５の構成の場合、本発明の効果は図１の構成よりも小さくなるが、仕切板８ａを小さくすることで、コストを抑えることができる。
【００２８】
図６は、実施例１の変形例３である室内機の遠心ファン１ａ周辺を拡大した側面図と、側面図中のＢ−Ｂ断面で切断した断面図である。図６の構成では、遠心ファン１ａと筐体の背面板１００ｂの間に、仕切板８ｄを配置する。図６右図に示すように、仕切板８ｄは、遠心ファン１０ａの下方から上方へ向かう空気の流れを阻害しないように、仕切板８ｄの側部を直角に２回曲げて、背面板１００ｂに固定された上下方向に延伸した形状であり、これにより風路の断面積を大きくしている。なお、仕切板８ｄの左右方向の寸法は、遠心ファン１ａの直径以上とする。図６の構成でも、図１の構成と同様に、仕切板８ｄの効果によって、従来の室内機よりも吹出口７の風量を増加させることができる。
【実施例２】
【００２９】
本発明の実施例２を図７および図８を用いて説明する。なお、実施例１と共通する点は重複説明を省略する。
【００３０】
図７は、遠心ファン１ａを搭載し、背面板１００ｂと遠心ファン１ａの間に長方形の仕切板８ｅを設けた空気調和機の室内機の正面図である。ここでは、仕切板８ｅの作用を分かりやすく図示するために、遠心ファン１ａ、仕切板８ｅ、吹出口７、筐体１００以外の部品は省略している。風２０３ｄは、筐体左側で遠心ファン１ａ下方から上方へ向かう空気の流れを示しており、点線部は、仕切板８ｅと背面板１００ｂの間の空間を流れていることを示す。風２０４は、筐体左側の仕切板８ｅと側面板１００ｃの隙間３００から、仕切板８ｅと背面板１００ｂの間に流れこむ空気を示す。図７の構成では、仕切板８ｅの左右方向の寸法は、遠心ファン１ａの直径以上かつ筐体幅よりも小さく、背面板１００ｂに固定される。
【００３１】
図８は、本室内機の遠心ファン１ａ周辺を拡大した側面図と、側面図中のＣ−Ｃ断面で切断した断面図である。図８左図（側面図）に示すように、仕切板８ｅは、上部と下部に固定部１０ｂを持ち、固定部１０ｂが背面板１００ｂに固定される。また、図８右図（Ｃ−Ｃ断面図）に示すように、固定部１０ｂは、遠心ファン１ａの下方から上方へ向かう空気の流れを阻害しないように、直角に２回曲げられて背面板１００ｂに固定された上下方向に延伸した形状であり、これにより風路の断面積を大きくしている。
【００３２】
実施例１では、遠心ファン１ａから吹き出した空気は、遠心ファン１ａの下方からしか仕切板８ａの背面側の風路に入りこまないため、遠心ファン１ａから左下方向に吹き出される空気は、筐体の側面板１００ｃに吹き付けた後に、遠心ファン１ａの下方へ向かう必要があり、仕切板８ａの筐体の背面板１００ｂの間の空間に流れこみにくかった。特に、鉛直成分よりも水平成分が大きい流れは、より遠心ファン１ａの下方に流れにくかった。
【００３３】
これに対し、図７に示す本実施例では、遠心ファン１ａから左下方向に吹き出された空気の一部（風２０３ｄ）は、遠心ファン１ａの下方から仕切板８ｅの背面側の風路に入り込むのに加え、空気の一部（風２０４）は、仕切板８ｅと筐体の側面部１００ｃの隙間３００から、仕切板８ｅの背面側の風路に入り込むことができる。このように、遠心ファン１ａの左下方向に吹き出された空気は下向きの速度成分を持って仕切板８ｅと筐体の背面板１００ｂの間の空間に流れこむが、仕切板８ｅの正面側での摩擦や、仕切板８ｅの側面部を回りこむときの抵抗で減速されるため、上方への流れを大きく阻害せず、そのまま遠心ファン１ａ下方からの上向きの流れに合わせて筐体上部へ向かう。したがって、実施例１と比べて、仕切板８ｅと背面板１００ｂの間の空間を流れて筐体上部へ向かう空気を増加させることができるため、吹出口７の風量を増加させることができる。
【実施例３】
【００３４】
本発明の実施例３を、図９を用いて説明する。なお、上述した実施例と共通する点は重複説明を省略する。
【００３５】
図９は、遠心ファン１ａを搭載し、背面板１００ｂと遠心ファン１ａの間に、長方形の仕切板８ｆを設けた空気調和機の室内機の側面図である。仕切板８ｆの重心は、遠心ファン１ａの中心軸上にあり、仕切板８ｆの下面は、筐体１００底面と平行である。また、仕切板８ｆの上下方向の寸法は、遠心ファン１ａの直径以上であり、左右方向の寸法は、筐体側面部まで延長され、筐体側面部に固定される。遠心ファン１ａの下方に吹き出された風の一部は、仕切板８ｆと背面板１００ｂの間の空間を通り上方へ向かう風２０３ｅとなる。
【００３６】
図９の構成では、遠心ファンのモータ１ｂは、仕切板８ｆに固定されており、仕切板８ｆの背面側の風路からモータ１ｂを排除することで、上述した実施例に比べ、風路の通風抵抗を削減している。なお、図９では明示していないが、仕切板８ｆは、実施例１の図３のように筐体１００の幅と略等しい幅であっても良いし、実施例２の図７のように筐体１００の幅よりも狭い幅であっても良い。
【００３７】
本実施例では、実施例１と同様に、仕切板８ｆの効果によって、従来の室内機よりも吹出口７の風量を増加させることができる。さらに、仕切板８ｆと背面板１００ｂの間を流れて上方へ向かう空気がモータに阻害されなくなるため、実施例１と比べて、吹出口７の風量を増加させることができる。
【実施例４】
【００３８】
本発明の実施例４を、図１０を用いて説明する。なお、上述した実施例と共通する点は重複説明を省略する。
【００３９】
図１０は、遠心ファン１ａを搭載し、背面板１００ｂと遠心ファン１ａの間に長方形の仕切板８ａを設け、さらに、遠心ファン１ａの下方に、下方へ膨らむ円弧上のガイド１１を設けた空気調和機の室内機の、遠心ファン１ａ周辺を拡大した側面断面図である。
【００４０】
図１０で、ガイド１１の円弧の左端は、背面板１００ｂに接触し、右端は、ファンの吹出口右端から下方に伸ばした直線Ｘに略一致する。なお、ガイド１１は筐体側面部に固定される。遠心ファン１ａの下方に吹き出された風の一部は、ガイド１１に沿って、仕切板８ａと背面板１００ｂの間の空間を通る上向きの風２０３ｆとなる。
【００４１】
本実施例では、実施例１と同様に、仕切板８ａの効果によって、従来の室内機よりも吹出口７の風量を増加させることができる。さらに、遠心ファン１ａから下方に吹き出した流れは、ガイド１１によって整流され、効率よく背面板１００ｂと仕切板８ａの間に向かうため、実施例１と比べて、吹出口７の風量を増加させることができる。
【実施例５】
【００４２】
本発明の実施例５を、図１１を用いて説明する。なお、上述した実施例と共通する点は重複説明を省略する。
【００４３】
図１１は、遠心ファン１ａを搭載し、背面板１００ｂと遠心ファン１ａの間に長方形の仕切板８ａを設けた空気調和機の室内機の正面図である。ここでは、遠心ファン１ａの配置を変えたことによる作用を分かりやすく図示するため、遠心ファン１ａ、仕切板８ａ、吹出口７、筐体１００以外の部品は省略している。
【００４４】
風２０３ｇは、筐体左側で遠心ファン１ａ下方から上方へ向かう空気の流れを示しており、点線部は、仕切板８ａの背面側の風路を流れていることを示す。また、図１１の構成では、遠心ファン１ａを、旋回成分が上向きとなる筐体右側のスペースを広く取るように、筐体の中心から左側に移動している。
【００４５】
本実施例では、実施例１と同様に、仕切板８ａの効果によって、従来の室内機よりも吹出口７の風量を増加させることができる。さらに、遠心ファン１ａの旋回成分が上向きとなる筐体右側のスペースを広くとり、遠心ファン１ａの旋回成分が下向きとなる筐体左側のスペースを狭くとることで、上方へ向かう流路を拡大することができるため、実施例１と比較して、吹出口７の風量を増加させることができる。
【００４６】
なお、上述の実施例１から５では、正面から見て反時計周りに回転するファンを備えた室内機について述べているが、本発明は逆回転、すなわち正面から見て時計回りに回転するファンを備えた場合についても当然適用できる。この場合、実施例５では、ファンを筐体の中心から右側に移動させることになる。
【００４７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成について、他の構成の追加、削除、置換をすることが可能である。
【符号の説明】
【００４８】
１ａ  遠心ファン、
１ｂ  モータ、
２  熱交換器、
３  水受け、
４  吸込口、
５  フィルター、
６  ベルマウス、
７  吹出口、
８ａ〜８ｆ  仕切板、
９ａ  穴、
１０ａ、１０ｂ  仕切板の固定部、
１１  ガイド、
１００  筐体、
１００ａ  筐体の前面板、
１００ｂ  筐体の背面板、
１００ｃ  筐体の側面板、
２００ａ  室内から筐体内への風、
２００ｂ  遠心ファンから熱交換器へ向かう風、
２００ｃ  筐体内から室内への風、
２０１  遠心ファン下方から上方へ向かう風（従来例）、
２０２  遠心ファンから吹き出す風、
２０３ａ〜２０３ｇ  遠心ファン下方から、仕切板の背面側の風路を通り上部へ向かう風、
２０４    遠心ファン側方から、仕切板と筐体の側面板の隙間を通り、仕切板の背面側の風路へ向かう風、
３００    仕切板と筐体の側面板の隙間、
４００    遠心ファンの回転方向を示す矢印
【図１】
2018071933.tif 000003
【図２】
2018071933.tif 000004
【図３】
2018071933.tif 000005
【図４】
2018071933.tif 000006
【図５】
2018071933.tif 000007
【図６】
2018071933.tif 000008
【図７】
2018071933.tif 000009
【図８】
2018071933.tif 000010
【図９】
2018071933.tif 000011
【図１０】
2018071933.tif 000012
【図１１】
2018071933.tif 000013
【図１２】
2018071933.tif 000014
【図１３】
2018071933.tif 000015